(57)【要約】【課題】被写体の水平度を保持しながら撮影でき、さらに表示部画面に対して被写体を任意の角度に調整して撮影することができる携帯電話機を提供する。【解決手段】カメラモジュール5の撮像時の光軸の軸心7に対し回転自在となる構造を有するカメラモジュール５においてカメラモジュール5の回転重心8をカメラが撮影した画像の下方向になるように配置する構造とカメラモジュール5の回転を制御する構造を設けることにより、表示部に対しての左右方向の手ぶれ防止を補助して撮影することができ、さらにカメラモジュール5の回転を制御できる構造を設けることによりカメラモジュールを表示部に対し任意の角度に調整して撮影することができる効果をする。【選択図】図２
2007311978.tif 000002
【特許請求の範囲】
【請求項１】
カメラモジュールの撮像時の光軸の軸心に対し回転自在となる構造を有するカメラモジュールにおいてカメラモジュールの回転重心をカメラが撮影したとき画像の下方向になるような位置に配置する構造とカメラモジュールの回転を制御する構造を設けた携帯電話機
【請求項２】
前記カメラモジュールの回転重心構造は電磁石にて構成される請求項１の携帯電話機
【請求項３】
前記カメラモジュールの回転重心構造は磁石にて構成される請求項１の携帯電話機
【請求項４】
前記カメラモジュールの回転重心構造は磁性体にて構成される請求項１の携帯電話機
【請求項５】
前記カメラモジュールのカメラ撮影レンズと反対面にカメラモジュールの撮像時の光軸の軸心方向に対し平行に動作する可動部を設けた請求項１、2、３、４の携帯電話機
【請求項６】
前記カメラモジュールのカメラ撮影レンズと反対面に設けたカメラモジュールの撮像時の光軸の軸心方向に対して平行に動作する可動部は磁石、電磁石または磁性体に反応する材質にて構成される請求項5の携帯電話機
【請求項７】
前記カメラモジュールのカメラ撮影レンズと反対面に設けたカメラモジュールの撮像時の光軸の軸心方向に対して平行に動作する可動部はカム機構、モーターにて連動される構造を構成している請求項１、２、３、４、５、6の携帯電話機
【発明の詳細な説明】
【技術分野】
【０００１】
本発明は、カメラ部、スピーカー部等を具備する携帯電話機やＰＤＡ（personal
Digital Assistants)等の携帯端末装置に関するものである。
【背景技術】
【０００２】
従来、携帯電話機やＰＤＡ（personal  Digital Assistants）等の携帯端末装置に付随するカメラモジュールは携帯電話機本体に完全固定されているか、手動にてカメラモジュールに付随するSWを操作することによりマクロ撮影を行うか、またはオートフォーカス（Auto Focus）機能にて、カメラが自動的に被写体との距離を測り、レンズの位置を調節してピント（焦点）を合わせることができる機構を設けている。
【０００３】
一方、従来から種々の携帯電話機およびそれに関する技術関連が提案されている
例えば、特許文献特開2003-264619号公報(以下  先行技術文献１と呼ぶ)
この先行技術文献１によれば図８に示すように携帯電話機の上半部の内部には、カメラが回転機構により回転自在に取り付けられている。回転機構はモーターおよびギア機構等からなり、携帯電話機の表面側と裏面側にそれぞれカメラの撮影方向を変更させる。
【０００４】
また、特許文献特開2004-153503号公報（以下  先行技術文献２と呼ぶ）
この先行技術文献２によれば、撮像装置に対して手振れ補正機能を付与するために、撮像装置を小型化しつつかつ角速度センサー部品を撮像装置に搭載可能な実装構造を提供する。
【特許文献１】特開2003-264619号公報
【特許文献２】特開2004-153503号公報
【発明の開示】
【発明が解決しようとする課題】
【０００５】
しかしながら、先行技術文献１記載の携帯電話機は筐体の表側と裏側に回転することにより、撮影方向を変えられるだけであり、撮影時の表示画面に対する手ぶれや表示部に対して被写体を任意の角度に調整して撮影することができないという課題がある。
また、先行技術文献２記載の角速度センサーを携帯電話機のカメラモジュールに搭載した場合、カメラモジュールの光軸と垂直な2軸（X軸、Y軸）方向の位置変化を補正することはできるが撮影者が被写体を任意の角度に調整して撮影することができないという課題がある。また、角速度センサーを制御処理する半導体集積回路が必要であり、それ相当の実装面積が必要であるため、近年のカメラモジュールの小型化または携帯電話機の小型化に相反するものがある。
【０００６】
本発明は、このような従来の課題を解決するためになされたものであり、カメラモジュールの撮像時の光軸の軸心に対し回転自在となる構造を有するカメラモジュールにおいてカメラモジュールの回転重心をカメラが撮影した画像の下方向になるように配置する構造とカメラモジュールの回転を制御する構造を設けることにより、表示部に対しての左右方向の手ぶれ防止を補助して撮影することができ、さらにカメラモジュールの回転を制御できる構造を設けることによりカメラモジュールを表示部に対し任意の角度に調整して撮影することができることを目的とするものである。
【課題を解決するための手段】
【０００７】
本発明の携帯電話機は、カメラモジュールの撮像時の光軸の軸心に対し回転自在となる構造を有するカメラモジュールにおいてカメラモジュールの回転重心をカメラが撮影したとき画像の下方向になるような位置に配置する構造とカメラモジュールの回転を制御する構造を設けた。
この構成により撮影時にカメラモジュールの撮影画像は水平方向を保持し、常に被写体を水平に撮影することができる。また表示部を確認しながら被写体を任意の角度に調整し撮影することができる。
【０００８】
また、本発明の携帯電話機は、前記カメラモジュールの回転重心構造を電磁石にて構成した。この構成により磁石の作用によりカメラモジュールの回転を制御できる。
【０００９】
また、本発明の携帯電話機は、前記カメラモジュールの回転重心構造を磁石にて構成した。この構成により磁石の作用によりカメラモジュールの回転を制御できる。
【００１０】
また、本発明の携帯電話機は、前記カメラモジュールの回転重心構造を磁性体にて構成した。この構成により磁石の作用によりカメラモジュールの回転を制御できる。
【００１１】
また、本発明の携帯電話機は、前記カメラモジュールのカメラ撮影レンズと反対面にカメラモジュールの撮像時の光軸の軸心方向に対して平行に動作する可動部を設けた。
この構成により、カメラモジュールの回転を制御できる。
【００１２】
また、本発明の携帯電話機は、前記カメラモジュールのカメラ撮影レンズと反対面に設けたカメラモジュールの撮像時の光軸の軸心方向に対して平行に動作する可動部は磁石、電磁石または磁性体に反応する材質にて構成される。
この構成により、前記カメラモジュールの電磁石及び磁石に構成された回転重心が可動部と作用接合しカメラモジュールの回転を制御できる。
【００１３】
また、本発明の携帯電話機は、前記カメラモジュールのカメラ撮影レンズと反対面に設けたカメラモジュールの撮像時の光軸の軸心方向に対して平行に動作する可動部はカム機構、モーターにて任意の角度に回転する構造を構成している。
この構成により、撮影者は表示部を確認しながら被写体を任意の角度に調整し撮影することができる。
【発明の効果】
【００１４】
本発明は、カメラモジュールの撮像時の光軸の軸心に対し回転自在となる構造を有するカメラモジュールにおいてカメラモジュールの回転重心をカメラが撮影した画像の下方向になるように配置する構造とカメラモジュールの回転を制御する構造を設ける構成によりカメラモジュールの撮影画像は常に被写体に対して水平方向を保持し、表示画面の左右方向に対する手ぶれ防止を補助し、表示部の画像が表示部に対して斜めに表示されていても、画像としてのデータは表示部に対して水平に撮影される効果を有する。また表示部を確認しながら被写体を任意の角度に調整し撮影することができ、娯楽性をもった撮影ができる効果を有する。
【発明を実施するための最良の形態】
【００１５】
以下、本発明の実施の形態について図面を用いて説明する。
（第１の実施の形態）
本発明の第１の実施の形態における携帯電話機１は、図１に示すように、少なくても表示部4及びカメラモジュール5を有する筐体3と送受信部及び制御部を有する筐体2を有している折り畳み式携帯電話機であり、筺体2の片側の面視には操作部6が配置されており、その反対面には電池部が配置されている。図では送受信部、制御部及び電池部は省略している。カメラモジュー5は筐体３の表示部4の反対面視に配置されている。
【００１６】
次に図2は筐体3側の正面図、側面図及び背面図である。側面図及び背面図はカメラモジュール5の配置及び形状の詳細がわかり易いように断面をカットした状態である。
側面図からカメラモジュール5は筐体3及び表示部4に対してカメラモジュール5の撮像時の光軸の軸心7が垂直方向になるように構成され、さらにカメラモジュール5は撮像時の光軸の軸心7に対して回転自在となる構造となっている。さらにカメラモジュール5においてカメラモジュール5の回転重心8をカメラが撮影した画像の下方向になるように配置される構造となっている。背面視からカメラモジュール5は撮像時の光軸の軸心7に対して矢印AからA’方向に180°＋αの回転する構造であり、それ以降の回転は回転ストッパー等により回転を制御される。次に図3はカメラモジュール5の詳細図である。カメラモジュール5は少なくても撮像系部品を収容する筐体10と筐体10の上面から光軸７の方向に突出する鏡筒14を備えている。光学系部品は例えば対物レンズ、補正レンズ9等を備えている。撮像系部品は、例えばCCD素子等の撮像素子およびその周辺部品である。筐体10には撮像系部品から得られた電気信号を処理するための電子部品が搭載されていてもよい。あるいは筐体10の撮像系部品からの電気信号を筐体10の外部へと伝送し、処理することができる。その場合筐体10とは別に電気信号を接続する基板及びフレキシブル基板から構成されている。本発明のカメラモジュール5は撮像時の光軸の軸心7に対し回転自在となる構造であるため携帯電話機側の基板と接続させるために回転性に柔軟な細線同軸ケーブルを使用することにより回転時の断線を防止することができる。図３においては撮像系部品とそれを電気的に接続する基板、フレキシブル基板及び細線同軸ケーブルの詳細については省略する。
カメラモジュール5の回転重心8はカメラにて撮影される画像の下方向に配置している。（図4）カメラモジュール5のレンズ9側と反対面側にはカメラモジュール5の撮像時の光軸の軸心方向に対して平行に動作する可動部11を配置してある。可動部11はカム機構12により連結され矢印B、Cの方向に可動する構造となっており、さらにカム機構12は筐体3に内蔵されたモーター13により動力を伝達される構造となっている。さらに、前記カメラモジュール5の回転重心８の構造を電磁石、磁石または磁性体の材質にて構成し、さらに可動部11を電磁石、磁石または磁性体の材質にて構成することにより、可動部11が矢印B方向に移動し、可動部11と回転重心8が磁力の作用により接合する。可動部11とカメラモジュール5が接合した状態において例えば図5に示したように撮影者が筐体２側に配置された操作部８のセンターナビキー15のDのキーを操作すると表示画面もそれに合わせてD‘方向に回転させることができ、娯楽性をもった撮影ができる。ここでは回転操作をセンターナビキーに割り当てたが、その他のキーに回転操作を割り当ててもよい。例えばナビキーの代わりとしてロールナビキーにすると指でなぞりながら操作することも可能である。また、ジョグダイヤル式のキーを用いてもよい。
また、上記作用を実行する場合、図6のように可動部11を廃止して直接カメラモジュール5にカム機構12配置して可動させてもよい。
また、上記説明においてカメラモジュール5は筐体3側に配置されているが、カメラモジュール5の位置は筐体2の方に配置してもよく、表示部と相反する方向に配置されていれば、特に限定しない。
（第２の実施の形態）
本発明の第2の実施の形態における携帯電話機１は、本発明の第１の実施の形態でも述べたようにカメラモジュール5は筐体3及び表示部4に対してカメラモジュール5の撮像時の光軸の軸心7が垂直方向になるように構成され、さらにカメラモジュール5は撮像時の光軸の軸心7に対して回転自在となる構造となっている。さらにカメラモジュール5においてカメラモジュール5の回転重心8をカメラが撮影した画像の下方向になるように配置する構造となっている。この構成から、例えば図7に示したように表示部4を被写体に対して斜めに傾けて撮影したても、常にカメラモジュール５の回転重心8は被写体に対して水平方向を向くため、撮影した画像は水平画像のデータとなる。すなわち、撮影者が表示部4を意識せず、わずかな時間内で被写体を水平に撮影することが可能となり左右方向の手ぶれ防止を補助することができる効果がある。尚、実施の形態１で述べたように可動11、カム機構12及びモーター13にて回転を制御することが可能であるため例えば、シャッターボタンを押した瞬間にカメラモジュール5の回転を制御し、カメラモジュール5単体による回転ぶれを防止することも可能となる。
【産業上の利用可能性】
【００１７】
本発明は、カメラモジュールの撮像時の光軸の軸心に対し回転自在となる構造を有するカメラモジュールにおいてカメラモジュールの回転重心をカメラが撮影した画像の下方向になるように配置する構造とカメラモジュールの回転を制御する構造を設けることにより、表示部に対しての左右方向の手ぶれ防止を補助して撮影することができ、さらにカメラモジュールの回転を制御できる構造を設けることによりカメラモジュールを表示部に対し任意の角度に調整して撮影することができる効果をする。
【図面の簡単な説明】
【００１８】
【図１】本発明の第１の実施の形態における携帯電話機の斜視図
【図２】本発明の第１の実施の形態における携帯電話機の正面図、側面図、背面図
【図３】本発明の第１の実施の形態におけるカメラモジュール詳細図
【図４】カメラモジュールの回転重心位置を示す図
【図５】本発明の第１の実施の形態における使用例を示す図
【図６】本発明の第１の実施の形態におけるカメラモジュール詳細図
【図７】本発明の第２の実施の形態における使用例を示す図
【図８】従来の実施例を示す図
【符号の説明】
【００１９】
１    携帯電話機
２    筐体
３    筐体
４    表示部
５    カメラモジュール
６    操作部
７    軸心
８    重心
９    カメラレンズ
１０    カメラモジュール筐体
11    可動部
12    カム部
13    モーター部
14    鏡筒
15    回転操作部
【図１】
2007311978.tif 000003
【図２】
2007311978.tif 000004
【図３】
2007311978.tif 000005
【図４】
2007311978.tif 000006
【図５】
2007311978.tif 000007
【図６】
2007311978.tif 000008
【図７】
2007311978.tif 000009
【図８】
2007311978.tif 000010